(57)【要約】      （修正有）【課題】流通面積の重なり流通面を増加して気体流通を改善し、装着者がマスクを装着して呼吸する際に、十分な吸気量と呼気量を有し、装着者が吸気又は呼気状態で息切れが生じないマスクを提供する。【解決手段】装着者の口鼻を覆うためのマスク２であって、端面に気体が通過可能な通孔流通面Ｆ１が形成される通孔２４が設けられている遮蔽本体２０と、空気の汚れを濾過可能な濾過部３１、及び接続部を備えた濾過手段とを含み、上記濾過部に、互いに接続された複数の接続片３１１が設けられ、上記複数の接続片が共に気体が通過可能な重なり流通面Ｆ２が形成された重なり構造を構成し、重なり流通面の面積が通孔流通面より大きく、接続部が濾過部と遮蔽本体の間に接続され、濾過手段が通孔を密閉することを特徴とするマスク。【選択図】図３
2020094291.tif 000002
【特許請求の範囲】
【請求項１】
装着者の口鼻を覆うためのマスクであって、
端面に、気体が通過可能な通孔流通面が形成される通孔が設けられている遮蔽本体と、
空気の汚れを濾過可能な濾過部、及び上記濾過部に形成された接続部を備えた濾過手段とを含み、
上記濾過部に、互いに接続されて上記濾過部に形が変化変形可能なプリーツ構造を呈した複数の接続片が設けられ、上記複数の接続片の表面積が共に気体が通過可能な重なり流通面を構成し、上記重なり流通面の面積の大きさが上記通孔流通面より大きくなると、上記接続部が上記遮蔽本体に接続され、上記濾過部が上記通孔と位置合わせることで、上記濾過手段が上記通孔を密閉することを特徴とするマスク。
【請求項２】
上記濾過手段は、上記遮蔽本体の装着者の口鼻に近い側に位置し、上記重なり流通面は、上記通孔流通面と交差されず、上記複数の接続片が装着者が呼気する際に変形して上記重なり流通面の輪郭を変更することにより、上記通孔流通面が上記重なり流通面と交差することを特徴とする請求項１に記載のマスク。
【請求項３】
上記接続片の対向する両端が、それぞれ異なった上記接続片と接続し、上記濾過部が、上記接続片と接続片の間の接続箇所で、それぞれ曲げ領域を形成し、上記複数の曲げ領域が全て上記通孔流通面の同一側に位置し、若しくは、上記通孔流通面の対向する両側に分布することを特徴とする請求項１に記載のマスク。
【請求項４】
上記濾過部の大きさが上記通孔の孔径と対応し、上記接続部が上記濾過部の外縁に位置し、上記接続部の輪郭の大きさが上記通孔の孔径より大きく、上記接続部が上記遮蔽本体に重なることを特徴とする請求項１に記載のマスク。
【請求項５】
上記遮蔽本体には、立体態様を呈した曲面部、及び、平面態様を呈した平面部が設けられ、上記曲面部が、上記通孔に近い一端に上記平面部を形成し、上記平面部には、上記濾過手段の接続部に接続するための上記通孔が設けられることを特徴とする請求項１に記載のマスク。
【請求項６】
上記遮蔽本体が、互いに接続される複数の片体を有しており、上記複数の片体同士が展開されることによって、上記片体と片体の間の相対位置が変更され、上記遮蔽本体が、扁平形状を呈した重なり状態から立体形状を呈した展開状態に変更し、上記通孔が上記複数の片体の一つに形成されることを特徴とする請求項１に記載のマスク。
【請求項７】
上記マスクは、さらに、形が上記通孔より大きい蓋体を備え、上記蓋体の一部が上記遮蔽本体の上記接続部と対向する側に接続されることにより、接合部が形成され、上記蓋体の残り部が上記通孔を覆うことにより、上記接合部の中央に位置するカバー部が形成されることを特徴とする請求項１に記載のマスク。
【請求項８】
上記カバー部が選択的に上記通孔と離接でき、上記カバー部と上記遮蔽本体の間に収容空間が形成され、上記収容空間の空間の大きさは、上記カバー部が上記通孔と離接するにつれて、大きく又は小さくになることを特徴とする請求項７に記載のマスク。
【請求項９】
上記複数の接続片は、装着者が呼気する際に変形して上記収容空間の内部に進入することを特徴とする請求項８に記載のマスク。
【請求項１０】
上記遮蔽本体と蓋体の両者が同じ通気性材質から作成され、上記濾過手段と遮蔽本体の両者が異なった通気性材質から作成され、上記濾過手段の空気透過性が上記遮蔽本体より優れることを特徴とする請求項７に記載のマスク。
【発明の詳細な説明】
【技術分野】
【０００１】
本発明は、マスク、特に、表面積が増加され、装着者が呼気又は吸気する際に大部分の気体がマスクによってブロックされることが避けられ、装着者がマスクを装着した場合に気楽に呼気と吸気することができるマスクに関する。
【背景技術】
【０００２】
工業の発展と交通の進歩につれて、生活環境には、工場と乗り物から排出された排気が存在しており、排気が生態環境に影響して空気をさらに重大に汚染するから、人間が長時間にスモッグに影響され、人間は、空気中の汚染物や細菌が吸入され、健康が障害されることを避けるために、通勤、通学、旅行又はショッピングに行く際に、マスクを装着してから外出することにする。
【０００３】
マスクは、装着者の口鼻に装着され、装着者が外部空気を吸気する際に空間中の汚れや細菌を阻隔し濾過することにより、装着者が清潔な空気が吸気できることに用いられたものであり、そして、マスクは、装着者が口から気体を吐出する際に、装着者に吐出された気体を濾過して、病菌が空気に散布して他人を感染することを避けることもできる。しかしながら、今、大部分の市販されているマスクは、装着者の口鼻に装着される際に、マスクの形のサイズが大きな変化があまりないため、装着者が呼気や吸気する際に、マスクの特定の領域のみが気体を通過させ、大部分の気体がマスクによってブロックされ、これにより、装着者がマスクを装着した場合に、呼気や吸気しにくいと感じることになる。
【０００４】
しかしながら、装着者がマスクを装着した場合に呼気や吸気しにくいと感じる欠点を改善するために、今、市場では、ピストンバルブ１１が装備された公知の立体マスク１が既存し、図１Ａに示すように、公知の立体マスク１は、立体マスク本体１０、及びピストンバルブ１１を具備し、立体マスク本体１０は、装着者の口鼻を覆うためのものであり、通気性材料から構成され、立体マスク本体１０には、装着者の口鼻に位置する一対の開口１０１が貫通して形成され、開口１０１の周囲にピストンバルブ１１が組み立てられ、そして、輪郭が開口１０１より大きいスペーサー１１１(図１Ｂに示すように)が設けられ、スペーサー１１１が立体マスク本体１０の外側に位置し、選択的に開口１０１を覆うことができる。
【０００５】
図１Ｂに示すように、公知の立体マスク１を具体的に応用する際に、立体マスク本体１０が装着者の口鼻に装着され、ピストンバルブ１１が装着者の口鼻の一方側に位置し、装着者が呼気する際に、スペーサー１１１が装着者の口中の気体によって吹かれ、スペーサー１１１が立体マスク本体１０の開口１０１から離れ、開口１０１が完全に覆われなく、装着者の口中の大部分気体が、開口１０１から外部空間に排出され、これにより、装着者が、公知の立体マスク１を装着した場合に、気楽に呼気できる。しかし、装着者が吸気する際に、スペーサー１１１が外部空間の気体によって吹かれ、スペーサー１１１が開口１０１に近づき、開口１０１が完全に覆われ、外部空間の気体が開口１０１から装着者の口中に流入できなくなり、即ち、外部空間の気体が立体マスク本体１０を経過して装着者の口中に流入しかできなく、これにより、装着者が公知の立体マスク１を装着した場合に、少量な気体のみ吸込み、対応に、装着者は吸気しにくいと感じ、必要な気体量を得るために、装着者は、吸気の回数を増加しなければならない。
【発明の概要】
【発明が解決しようとする課題】
【０００６】
本発明の主な目的は、マスクの構造態様を改善することで、マスクの表面積を増加し、装着者がマスクを装着した場合に呼気や吸気する際に、マスクがより大きい領域を持って気体を流通させ、大部分の気体がマスクを流通し、大部分の気体がマスクによってブロックされることが避けられ、装着者がマスクを装着した場合に気楽に呼気や吸気できることである。
【０００７】
本発明の第二の目的は、ピストンバルブを具備した公知の立体マスクの構造を改良し、ピストンバルブを置換できる新構造を設計することで、装着者がマスクを装着した場合に、呼気又は吸気に関わらず、大部分の気体がマスクを流れ、呼気又は呼吸する時に生じた抵抗を降下することである。
【０００８】
本発明のもう一つの目的は、マスクの外観全体を改善し、マスクの美観性を増加することで、マスクは、美観でありつつ、装着者がマスクを装着した場合に気楽に呼気又は吸気する。
【課題を解決するための手段】
【０００９】
前述の目的を実現するために、本発明は、装着者の口鼻を覆うためのマスクであって、端面に気体が通過可能な通孔流通面が形成される通孔が設けられている遮蔽本体と、空気の汚れを濾過可能な濾過部、及び上記濾過部に形成された接続部を備えた濾過手段とを含み、上記濾過部に、互いに接続されて上記濾過部に形が変化変形可能なプリーツ構造を呈した複数の接続片が設けられ、上記複数の接続片の表面積が共に気体が通過可能な重なり流通面を構成し、上記重なり流通面の面積の大きさが上記通孔流通面より大きくなると、上記接続部が上記遮蔽本体に接続され、上記濾過部が上記通孔と位置合わせることで、上記濾過手段が上記通孔を密閉することを特徴とするマスクに関する。
【００１０】
好ましい実施例において、上記遮蔽本体には、立体態様を呈した曲面部、及び、平面態様を呈した平面部が設けられ、上記曲面部が、上記通孔に近い一端に上記平面部を形成し、上記平面部には、上記濾過手段の接続部に接続するための上記通孔が設けられる。
【００１１】
別の好ましい実施例において、上記遮蔽本体が、互いに接続される複数の片体を備え、上記複数の片体同士が展開されることによって、上記片体と片体の間の相対位置が変更され、上記遮蔽本体が、扁平形状を呈した重なり状態から立体形状を呈した展開状態に変更し、上記通孔が上記複数の片体の一つに形成される。
【００１２】
前述の二つの実施例において、上記複数の接続片が装着者が呼気する際に変形して上記重なり流通面の輪郭を変更することにより、上記通孔流通面が上記重なり流通面と交差する。
【００１３】
また、上記接続片の対向する両端が、それぞれ異なる上記接続片と接続し、上記濾過部が、上記接続片と接続片の間の接続箇所で、それぞれ曲げ領域を形成し、上記複数の曲げ領域が全て上記通孔流通面の同一側に位置し、若しくは、上記通孔流通面の対向する両側に分布し、そして、上記濾過部の大きさが上記通孔の孔径と対応し、上記接続部が上記濾過部の外縁に位置し、上記接続部の輪郭の大きさが上記通孔の孔径より大きくし、さらに上記接続部が上記遮蔽本体に重なる。
【００１４】
前述の両実施例において、上記マスクは、さらに、形が上記通孔より大きい蓋体を備え、上記蓋体の一部が上記遮蔽本体の上記接続部と対向する側に接続されることにより、接合部が形成され、上記蓋体の残り部が上記通孔を覆うにより、上記接合部の中央に位置するカバー部が形成される。
【００１５】
好ましい実施例において、上記カバー部が選択的に上記通孔と離接でき、上記カバー部と上記遮蔽本体の間に収容空間が形成され、上記収容空間の空間の大きさは、上記カバー部が上記通孔と離接するにつれて、大きく又は小さくになり、そして、上記複数の接続片は、装着者が呼気する際に変形して上記収容空間の内部に進入し、上記遮蔽本体と蓋体の両者は同じ通気性材質から作成され、上記濾過手段と遮蔽本体の両者が異なった通気性材質から作成され、上記濾過手段の空気透過性が上記遮蔽本体より優れる。
【発明の効果】
【００１６】
本発明の特点は、複数の接続片の表面が共に気体が通過可能な重なり流通面を構成し、装着者がマスクを装着して呼気または吸気する際に、気体が遮蔽本体を流通できるだけではなく、重なり流通面も流通できるから、マスクの表面積が増加し、マスクがより多い領域を持って気体を流通させ、大部分の気体がマスクによってブロックされることが避けられ、装着者がマスクを装着した場合に気楽に呼気や吸気できることである。
【００１７】
また、本発明では、ピストンバルブを置換できる濾過手段が設計されており、濾過手段が複数の接続片からなる濾過部を有し、マスクの表面積が増加し、マスクがより多い領域でを持って気体を流通させ、装着者がマスクを装着した場合に呼気又は吸気に関わらず、大部分の気体がマスクを流れて呼気又は呼吸する時に生じた抵抗が降下する。
【００１８】
また、蓋体が遮蔽本体に接続され、蓋体のカバー部が通孔を覆い、蓋体が濾過手段の一方側に位置し、これにより、マスクの外観全体が改善され、マスクの美観性が増加し、マスクは、美観でありつつ、装着者がマスクを装着した場合に気楽に呼気又は吸気する。
【図面の簡単な説明】
【００１９】
【図１Ａ】は公知の立体マスクの概略図である。
【図１Ｂ】は公知の立体マスクの使用概略図である。
【図２】は本発明に係るマスクの第一の好ましい実施例の斜視図である。
【図３】は本発明に係るマスクの第一の好ましい実施例の分解図である。
【図４】は図２におけるＡ-Ａ断面の断面図である。
【図５Ａ】は装着者が第一の好ましい実施例のマスクに対して呼気する概略図である。
【図５Ｂ】は装着者が第一の好ましい実施例のマスクに対して吸気する概略図である。
【図６】は本発明に係るマスクの第二の好ましい実施例の斜視図である。
【図７】は本発明に係るマスクの第二の好ましい実施例における分解図である。
【図８】は図６におけるＢ-Ｂ断面の断面図である。
【図９Ａ】は装着者が第二の好ましい実施例のマスクに対して呼気する概略図である。
【図９Ｂ】は装着者が第二の好ましい実施例のマスクに対して吸気する概略図である。
【図１０】は本発明に係るマスクの第三の好ましい実施例の概略図である。
【図１１】は本発明に係るマスクの第四の好ましい実施例の概略図である。
【図１２Ａ】は装着者が第四の好ましい実施例のマスクを使用する概略図である。
【図１２Ｂ】は装着者が第四の好ましい実施例のマスクを使用する概略図である。
【発明を実施するための形態】
【００２０】
本発明の構造、使用及びその特徴をさらに明確、詳細に認知と理解するために、好ましい実施例を挙げて、図面を参照しつつ以下の詳細な記述にて更に説明する。
【００２１】
図２、図３と図４に示すように、第一の好ましい実施例において、本発明のマスク２は、装着者の口鼻を覆うためのマスクであって、主に遮蔽本体２０及び濾過手段３０から構成され、遮蔽本体２０は、全体形状が立体態様を呈し、立体態様を呈した曲面部２１及び平面態様を呈した平面部２２を有し、曲面部２１の一端に平面部２２が形成され、図に示すように、曲面部２１が平面部２２と共に、装着者の口鼻を被覆可能な立体収納室２３を形成し、平面部２２において、装着者の口鼻と対応した局部領域に立体収納室２３と連通された通孔２４が貫通して形成され、平面部２２において、装着者の口鼻に近い側に、通孔２４の外周に位置する平面領域２５が設けられ、通孔２４の立体収納室２３から離れた端面に、気体が通過可能な通孔流通面Ｆ１が形成される。
【００２２】
また、濾過手段３０は、形の大きさが通孔２４の孔径と対応し、空気中の汚れを濾過するための濾過部３１と、輪郭が通孔２４の孔径より大きく、濾過部３１の外周縁に形成された接続部３２との両部分を有し、図４に示すように、濾過部３１には、順番に互いに接続され、濾過部３１の形が変形可能なプリーツ構造を呈した複数の接続片３１１が設けられ、この実施例において、接続片３１１の対向する両端が、それぞれ異なった接続片３１１に接続され、接続片３１１と接続片３１１の間の接続箇所に、それぞれ曲げ領域３１２が形成され、複数の接続片３１１の表面積が共に気体が通過可能な重なり流通面Ｆ２を構成し、この実施例において、遮蔽本体２０と濾過手段３０の両者が、異なった通気性材質から作成し、濾過手段３０の空気透過性が遮蔽本体２０より優れ、そして、重なり流通面Ｆ２の面積の大きさが通孔流通面Ｆ１より大きい。
【００２３】
図に示すように、濾過手段３０の接続部３２が、遮蔽本体２０の平面領域２５に熱間プレスされ、接続部３２が立体収納室２３の内部に位置し、接続部３２が遮蔽本体２０に重なり、さらに濾過手段３０の濾過部３１が通孔２４と位置合わせることで、濾過手段３０が通孔２４を密閉する。濾過手段３０が遮蔽本体２０に接続されると、濾過手段３０が遮蔽本体２０の装着者の口鼻に近い側に位置し、重なり流通面Ｆ２が通孔流通面Ｆ１と交差しないようにし、なお、濾過部３１の一部の曲げ領域３１２が通孔２４の内部に位置し、濾過部３１の残りの曲げ領域３１２が通孔２４に突出し、残りの曲げ領域３１２が立体収納室２３の内部に位置し、全部の曲げ領域３１２が通孔流通面Ｆ１の同一側に位置する。
【００２４】
図５Ａに示すように、マスク２を装着者の口鼻に装着すると、遮蔽本体２０の立体収納室２３が装着者の口鼻を被覆し、濾過手段３０が装着者の口鼻と合わせ、その後、装着者がマスク２に対して呼気する時、濾過手段３０の各接続片３１１が変形し、各曲げ領域３１２が第一の方向Ｄ１に沿って移動し、濾過手段３０の濾過部３１が立体収納室２３から離れた方向に向かって外に突起して、重なり流通面Ｆ２の輪郭が変更され、通孔流通面Ｆ１が重なり流通面Ｆ２と交差するようになり、これにより、突起状態を呈した濾過部３１の空気に接触する表面積が増加され、マスク２の気体が流通可能な領域の範囲が増加され、装着者が呼気する過程に吐出された大部分の気体は、遮蔽本体２０を流通して外部空間に排出されるだけではなく、濾過手段３０の濾過部３１を流通して外部空間に排出されることもでき、対応に、装着者がマスク２を装着した場合に、空気が口中から気楽に吐出され、気体がマスク２によってブロックされることによる抵抗が降下し、この実施例において、第一の方向Ｄ１が通孔２４の開口方向に平行する。
【００２５】
図５Ｂに示すように、装着者がマスク２を装着した場合に吸気する時、濾過手段３０の各接続片３１１が変形し、曲げ領域３１２が第一の方向Ｄ１と反対する第二の方向Ｄ２に沿って移動し、濾過手段３０の濾過部３１が装着者の口鼻に向かって内に突起して、通孔流通面Ｆ１が重なり流通面Ｆ２と交差しなくなり、これにより、突起状態を呈した濾過部３１の空気に接触する表面積が増加され、マスク２の気体が流通可能な領域の範囲が増加され、装着者が吸気する過程に、外部空間の気体が、突起状態を呈した濾過部３１から気楽に口中に吸入される。
【００２６】
図６に示すように、第二の好ましい実施例において、第一の好ましい実施例との相違点は、マスク２が、さらに蓋体４０を有することであり、即ち、この実施例において、マスク２が、主に遮蔽本体２０、濾過手段３０、及び蓋体４０から構成される。
【００２７】
図６、図７と図８に示すように、蓋体４０の形輪郭が通孔２４の孔径より大きく、蓋体４０の外周部分に接合部４１が形成され、蓋体４０の残り部分に接合部４１の中央に位置するカバー部４２が形成され、接合部４１が遮蔽本体２０の接続部３２と対向した側に熱間プレスして接続され、接合部４１と接続部３２が、それぞれ遮蔽本体２０の対向する両側に位置し、この場合、カバー部４２が通孔２４を覆い、カバー部４２が濾過手段３０の一方側に位置して濾過手段３０の露出を避け、マスク２の美観性が増加し、そして、カバー部４２が選択的に通孔２４と離接でき、図に示すように、蓋体４０が遮蔽本体２０と接続されると、カバー部４２と遮蔽本体２０の間で収容空間Ｓが形成され、収容空間Ｓの空間の大きさは、カバー部４２が通孔２４と離接するにつれて、大きく又は小さくになり、この実施例において、遮蔽本体２０と蓋体４０の両者が同じ通気性材質から構成され、濾過手段３０と遮蔽本体２０が異なった通気性材質から構成されるとともに、濾過手段３０の空気透過性が遮蔽本体２０と蓋体４０より優れる。
【００２８】
図９Ａに示すように、マスク２を装着者の口鼻に装着し、その後、装着者がマスク２に対して呼気する時、濾過手段３０の各接続片３１１において、第一の好ましい実施例と同様な変形過程が生じて、各曲げ領域３１が第一の方向Ｄ１に沿って蓋体４０に徐々に近接し、濾過部３１が蓋体４０に突起して収容空間Ｓの内部に進入し、通孔流通面Ｆ１が重なり流通面Ｆ２と交差される。突起状態を呈した濾過部３１が蓋体４０のカバー部４２と当接すると、カバー部４２が通孔２４から離れ、収容空間Ｓの空間が大くなり、これにより、突起状態を呈した濾過部３１の空気に接触する表面積が増加され、マスク２の気体が流通可能な領域の範囲が増加され、装着者が呼気する過程に吐出された大部分の気体は、順番に濾過部３１と蓋体４０から外部空間に排出され、対応に、装着者がマスク２を装着した場合に、空気を口中から気楽に吐出できる。
【００２９】
図９Ｂに示すように、装着者がマスク２を装着した場合に吸気する時、濾過手段３０の各接続片３１１において、第一の好ましい実施例と同様な変形過程が生じて、各曲げ領域３１２が蓋体４０から離れ、濾過手段３０の濾過部３１が第二の方向Ｄ２に沿って内に突起し、これにより、突起状態を呈した濾過部３１の空気に接触する表面積が増加し、マスク２の気体が流通可能な領域の範囲が増加され、装着者が吸気する過程に、外部空間の気体が、順番に蓋体４０、及び突起状態を呈した濾過部３１から気楽に口中に吸入される。
【００３０】
図１０に示すように、第三の好ましい実施例において、第一の好ましい実施例との相違点は、通孔流通面Ｆ１と曲げ領域３１２との両者の間の位置関係であり、遮蔽本体２０と濾過手段３０との両者の構造態様は、第一の好ましい実施例と同様であるため、この実施例では重複に説明しない。図に示すように、一部の曲げ領域３１２が通孔２４の一方側に突出し、残りの曲げ領域３１２が通孔２４の他方側に突出し、複数の曲げ領域３１２が通孔流通面Ｆ１の対向する両側に分布し、実際に使用された態様が第一の好ましい実施例と同様であるため、この実施例では重複に説明しない。
【００３１】
図１１に示すように、第四の好ましい実施例において、第一の好ましい実施例との相違点は、遮蔽本体２０の形状態様であり、濾過手段３０の構造態様が第一の好ましい実施例と同様であるため、この実施例では、濾過手段３０に対して説明しない。
【００３２】
図に示すように、遮蔽本体２０が互いに接続されている複数の片体２６を有しており、そして、複数の片体２６の間が折り畳まれる又は展開されることによって、片体２６と片体２６の間の相対位置が変更され、遮蔽本体２０の通孔２４がその一つの片体２６に形成される。
【００３３】
図１２Ａと図１２Ｂに示すように、具体的に応用する際に、装着者がその中の二つの片体２６を引くと、複数の片体２６の間が展開され、片体２６と片体２６の間の相対位置が変更され、遮蔽本体２０が、扁平形状を呈した重なり状態Ａ１から立体形状を呈した展開状態Ａ２に変更し、展開状態Ａ２を呈した遮蔽本体２０を、再びに装着者の口鼻に装着し、その後、装着者が呼気又は吸気する際に、濾過手段３０の濾過部３１が、第一の好ましい実施例と同様に変形し、マスク２の気体の流通する領域の範囲が増加される。
【００３４】
この明細書に開示されている実施例は、あらゆる点で説明的なものであってこれに限定されない。本発明の趣旨を逸脱しない範囲で、当業者が本発明の特許請求の範囲による全ての簡単な変更又は修正は、全て本発明の特許請求の範囲に包含される。
【符号の説明】
【００３５】
１---公知の立体マスク
１０---立体マスク本体
１０１---開口
１１---ピストンバルブ
１１１---スペーサー
２---マスク
２０---遮蔽本体
２１---曲面部
２２---平面部
２３---立体収納室
２４---通孔
２５---平面領域
２６---片体
３０---濾過手段
３１---濾過部
３１１---接続片
３１２---曲げ領域
３２---接続部
４０---蓋体
４１---接合部
４２---カバー部
Ａ１---重なり状態
Ａ２---展開状態
Ｄ１---第一の方向
Ｄ２---第二の方向
Ｆ１---通孔流通面
Ｆ２---重なり流通面
Ｓ---収容空間
【図１Ａ】
2020094291.tif 000003
【図１Ｂ】
2020094291.tif 000004
【図２】
2020094291.tif 000005
【図３】
2020094291.tif 000006
【図４】
2020094291.tif 000007
【図５Ａ】
2020094291.tif 000008
【図５Ｂ】
2020094291.tif 000009
【図６】
2020094291.tif 000010
【図７】
2020094291.tif 000011
【図８】
2020094291.tif 000012
【図９Ａ】
2020094291.tif 000013
【図９Ｂ】
2020094291.tif 000014
【図１０】
2020094291.tif 000015
【図１１】
2020094291.tif 000016
【図１２Ａ】
2020094291.tif 000017
【図１２Ｂ】
2020094291.tif 000018